【手続補正書】
【提出日】平成17年3月9日(2005.3.9)
【手続補正１】
【補正対象書類名】特許請求の範囲
【補正対象項目名】全文
【補正方法】変更
【補正の内容】
【特許請求の範囲】
【請求項１】
複雑液体(a complex fluid)を処理するシステムであって、
（ａ）実質的単色光を発生し、伝達する非レーザ光源；
（ｂ）発光面であって、非レーザ光源によって発生された単色光の少なくとも一部分がそこを通して伝達されるように、非レーザ光源に対して配置される該発光面；
（ｃ）発光面に隣接して配置され、温度変化に感応する成分を少なくとも一つ含む複雑液体；および
（ｄ）複雑液体が感応性成分に損傷を与える温度変化を受けることを防止するのに有効で、発光面と熱的連絡している冷却液を含む該システム。
【請求項２】
複雑液体が光エネルギーに反応する第１および第２の液体成分を含み、ここに、実質的単色光が、第１の液体成分を実質的に維持し、第２の液体成分を実質的に励起するのに有効である請求項１記載のシステム。
【請求項３】
複雑液体が血液製剤、医薬品、注射用溶液およびワクチンよりなる群から選択される請求項１記載のシステム。
【請求項４】
実質的単色光が２６０ｎｍと３１０ｎｍとの間の波長を有する請求項１記載のシステム。
【請求項５】
非レーザ光源がＸｅＩ、Ｃｌ２、ＸｅＢｒ、Ｂｒ２、ＸｅＣｌ、フィルター透過ＸｅＢｒ、Ｉ２およびＸｅＦよりなる群から選択されるエキシマーガスを含む請求項１記載のシステム。
【請求項６】
複雑液体が、ソラレン、８−ＭＯＰ、メロシアニン５４０、リボフラビン、メチレンブルー、フタロシアニンおよびそれらの組合わせを含む分類の光活性化合物よりなる群から選択される光活性化合物を含む請求項１記載のシステム。
【請求項７】
非レーザ光源がハウジング内に配置され、冷却液が非レーザ光源と発光面との間のハウジングを通って流れる請求項１記載のシステム。
【請求項８】
非レーザ光源であって、
（ａ）少なくとも一つの外側壁によって定められるハウジング；および
（ｂ）ハウジング内部に入れられた有限体積のフォトン発生ガスを含み、
ここに、外側壁の少なくとも一部分が、有限体積のガスによって生成されるフォトンに対して実質的に透明であり、外側壁の実質的に透明な部分は温度制御される該非レーザ光源。
【請求項９】
有限体積のフォトン発生ガスが２６０ｎｍと３１０ｎｍとの間の波長を有する実質的単色光を発生する請求項８記載の非レーザ光源。
【請求項１０】
フォトン発生ガスがＸｅＩ、Ｃｌ２、ＸｅＢｒ、Ｂｒ２、ＸｅＣｌ、フィルター透過ＸｅＢｒ、Ｉ２およびＸｅＦよりなる群から選択されるエキシマーガスである請求項８記載の非レーザ光源。
【請求項１１】
外側壁の実質的に透明な部分がそれに隣接して流れる冷却液によって温度制御されている請求項８記載の非レーザ光源。
【請求項１２】
処理液体が該外側壁の実質的に透明な部分に隣接して配置され、前記処理液体が血液製剤、医薬品、注射用溶液およびワクチンよりなる群から選択される請求項８記載の非レーザ光源。
【請求項１３】
複雑液体を処理するシステムであって、
（ａ）単色光を発生し、発光面形状を有する少なくとも一つの発光面を含む液密ハウジング内に配置された有限体積のフォトン発生ガス；および
（ｂ）ハウジングから発光された単色光による照射のために配置された処理表面形状を有する処理表面を含み、
ここに、発光面形状が実質的に処理表面形状に実質的に対応する該システム。
【請求項１４】
フォトン発生ガスがＸｅＩ、Ｃｌ２、ＸｅＢｒ、Ｂｒ２、ＸｅＣｌ、フィルター透過ＸｅＢｒ、Ｉ２およびＸｅＦよりなる群から選択されるエキシマーガスである請求項１３記載のシステム。
【請求項１５】
発光面形状および処理表面形状が、平面形状、環帯形状、筒形状、楕円形状、非対称形状およびそれらの組合わせよりなる群から選択される請求項１３記載のシステム。
【請求項１６】
さらに液密ハウジングに搭載され、内向き面および外向き面を有する石英プレートを含み、前記石英プレートの内向き面が発光面であって、前記石英プレートの外向き面が処理面である請求項１３記載のシステム。
【請求項１７】
複雑液体が身体または四肢に含まれ、処理表面が身体または四肢を構成している請求項１３記載のシステム。
【請求項１８】
複雑液体を処理する方法であって、
（ａ）光エネルギーに反応する第１および第２の液体成分を含む複雑液体の処理ゾーンへの供給を開始し；
（ｂ）２６０ｎｍと３１０ｎｍとの間の指示波長を有する実質的単色光を発生するエキシマーベース非レーザ光源から供給される光エネルギーを処理ゾーン内の複雑液体にあてることを特徴とし、
ここに、エキシマーベース非レーザ光源からの光エネルギーは、第１の液体成分を実質的に維持し、第２の液体成分を実質的に励起する該方法。
【請求項１９】
複雑液体が血液製剤、医薬品、注射用溶液およびワクチンよりなる群から選択される請求項１８記載の方法。
【請求項２０】
さらに、複雑液体に単色光をあてる前に光活性物質を添加することを含む請求項１８記載の方法。
【請求項２１】
エキシマーベース非レーザ光源が複雑液体に単色光をあてている間中、前記複雑液体の温度を制御するシステムを含む請求項１８記載の方法。
【請求項２２】
エキシマーベース非レーザ光源が、ＸｅＩ、Ｃｌ２、ＸｅＢｒ、Ｂｒ２、ＸｅＣｌ、フィルター透過ＸｅＢｒ、Ｉ２およびＸｅＦよりなる群から選択されるエキシマーガスを用いて単色光を発生する請求項１８記載の方法。
【請求項２３】
複雑液体処理が白血球除去を要件とし、第１の液体成分がキャリア液体である請求項１８記載の方法。
【請求項２４】
複雑液体処理が、１以上の核酸を崩壊することによる生物の不活性化を要件とする請求項１８記載の方法。
【請求項２５】
複雑液体が全血製剤、血漿製剤、血小板製剤、濃厚赤血球製剤およびそれらの組合わせよりなる群から選択される請求項１８記載の方法。
【請求項２６】
複雑液体処理が光活性剤に対する特異的化学付加体の生成を要件とし、第１の液体成分は前記光活性剤に対する化学付加体の異なる組である請求項１８記載の方法。
【請求項２７】
複雑液体処理が、第１の液体成分が高収率で所望の化学成分を生成し、第２の液体成分が前記所望の化学成分の収率を低下させる化学合成を要件とする請求項１８記載の方法。
【請求項２８】
複雑液体中の核酸を処理する方法であって、
（ａ）複雑液体の処理ゾーンへの供給を開始し；
（ｂ）光活性化合物を複雑液体に添加し；次いで
（ｃ）光エネルギーを処理ゾーン内の複雑液体および光活性化合物にあて、３４０ｎｍより下の指示波長を有する光エネルギーを発生する光源から前記光エネルギーを供給することを特徴とし、
ここに、光源からの光エネルギーが核酸を実質的に励起し、光活性化合物を実質的に励起するのに有効である該方法。
【請求項２９】
複雑液体が、血液ベースの製剤であって、紫外光によって不活性化される生体タンパク質をさらに含む請求項２８記載の方法。
【請求項３０】
光源が非レーザ光源であり、前記非レーザ光源からの光エネルギーが実質的に単色である請求項２８記載の方法。
【請求項３１】
多色出力を生じるように光源を構成する請求項２８記載の方法。
【請求項３２】
光活性化合物がリボフラビンである請求項２８記載の方法。
【請求項３３】
光源からの光エネルギーによって励起される核酸が一本鎖であって、病原体に属する請求項２８記載の方法。
【請求項３４】
活性化合物が二本鎖核酸を有する病原体を不活性化することにおいて有効である請求項２８記載の方法。